(57)【要約】【課題】固定部分とパレットとの隙間から物が落下したり、利用者が足を踏み外したり、転落をしたりすることを防止し、落ち葉やごみ等が隙間からパレット下部に入り込むことを防止する多段式立体駐車装置を提供する。【解決手段】地上及び地下に複数の駐車階を有する多段式立体駐車装置であって、複数の柱で支持され、車両を支持可能でかつ上段の駐車階と下段の駐車階との間を昇降する１つ以上の第１パレットと、前記第１パレットの両側部に位置し、その上面に歩行可能な幅を有する歩行デッキと、車両を支持可能でかつ地上の駐車階を昇降横行する１つ以上の第２パレットと、前記柱の上面に配置され、前記歩行デッキの上面の一部と重なり合い、かつ前記第２パレットの下面の一部と重なり合う転落防止板と、を有することを特徴とする多段式立体駐車装置。【選択図】図１
2014240562.tif 000002
【特許請求の範囲】
【請求項１】
地上及び地下に複数の駐車階を有する多段式立体駐車装置であって、
複数の柱で支持され、車両を支持可能でかつ上段の駐車階と下段の駐車階との間を昇降する１つ以上の第１パレットと、
前記第１パレットの両側部に位置し、その上面に歩行可能な幅を有する歩行デッキと、
車両を支持可能でかつ地上の駐車階を昇降横行する１つ以上の第２パレットと、
前記柱の上面に配置され、前記歩行デッキの上面の一部と重なり合い、かつ前記第２パレットの下面の一部と重なり合う転落防止板と、
を有することを特徴とする多段式立体駐車装置。
【請求項２】
前記転落防止板は、前記第２パレットの長辺端部と重なり合うことを特徴とする請求項１記載の多段式立体駐車装置。
【請求項３】
前記転落防止板は、前記第２パレットの短辺端部と重なり合うことを特徴とする請求項１又は２記載の多段式立体駐車装置。
【請求項４】
前記転落防止板は、縁部が折り曲げられていることを特徴とする請求項１乃至３のいずれか一に記載の多段式立体駐車装置。
【発明の詳細な説明】
【技術分野】
【０００１】
本発明は多段式立体駐車装置に関し、より詳細には、転落防止板を備えた多段式立体駐車装置に関する。
【背景技術】
【０００２】
近年、立体駐車場、特に機械式の立体駐車場が、その土地あたりの収容能力が高いことから、土地事情が厳しい駅前や都市中心部において広く設置されている。とりわけ、多段式の立体駐車装置はその設置の手軽さから設置数が増加している。
【０００３】
多段式の立体駐車装置においては、複数の段のうち、所定の段のみに利用者がアクセス可能である。当該所定の段において、自動車の入庫及び出庫が行われる。例えば、地上構造と地下構造を有する立体駐車場において、地上段において、自動車の入庫及び出庫が行われる。自動車は、パレット上に入庫される。自動車が入庫したパレットは、柱により支持されて他段に昇降して移動することが可能であり、これによりパレットとともに自動車が他段に移動する。当該パレットの昇降にともない、他のパレットが所定の段に現出する。こうして、複数台の自動車が、同じ敷地において、収容可能となっている。
【０００４】
こうした多段式の立体駐車場においては、図４のように、利用者が駐車した自動車を出庫する際に、パレット４１０と、利用者がその上面を通過する歩行デッキ４３０が形成された固定部分との間において、パレットが上下に昇降する際に固定部分が干渉しないようにするため、隙間４４０が生じてしまう。この隙間に、利用者が所持品を落としてしまうことが多々ある。また、足を踏み外したり、転落をしたりする危険もある。落ち葉やごみ等が隙間からパレット下部に入り込み、駐車装置の動作不良を引き起こす可能性もある。
【０００５】
従来、設計段階において、隙間を可能な限り小さくする設計とすることにより、こうした問題に対処しようとしているが、隙間を無くすことは、前述の固定部分とパレットとの干渉の問題から難しい。また、既に設置された駐車装置において隙間を事後的に無くすことはできない。
【発明の概要】
【発明が解決しようとする課題】
【０００６】
そこで、本発明においては、固定部分とパレットとの隙間から物が落下したり、利用者が足を踏み外したり、転落をしたりすることを防止し、落ち葉やごみ等が隙間からパレット下部に入り込むことを防止する多段式立体駐車装置を提供することを目的とする。
【０００７】
また、本発明においては、いったん多段式立体駐車装置を設置した後においても、低コストで、容易に固定部分とパレットとの間の隙間により生じる問題を解決することができる多段式立体駐車装置を提供することを目的とする。
【課題を解決するための手段】
【０００８】
本発明の一実施形態に係る多段式立体駐車装置は、地上及び地下に複数の駐車階を有する多段式立体駐車装置であって、複数の柱で支持され、車両を支持可能でかつ上段の駐車階と下段の駐車階との間を昇降する１つ以上の第１パレットと、前記第１パレットの両側部に位置し、その上面に歩行可能な幅を有する歩行デッキと、車両を支持可能でかつ地上の駐車階を昇降横行する１つ以上の第２パレットと、前記柱の上面に配置され、前記歩行デッキの上面の一部と重なり合い、かつ前記第２パレットの下面の一部と重なり合う転落防止板と、を有することを特徴とする。
【０００９】
転落防止板は、前記第２パレットの長辺端部と重なり合ってもよい。
【００１０】
また、転落防止板は、前記第２パレットの短辺端部と重なり合ってもよい。
【００１１】
また、転落防止板は、縁部が折り曲げられていてもよい。
【発明の効果】
【００１２】
本発明によれば、固定部分とパレットとの隙間から物が落下したり、利用者が足を踏み外したり、転落をしたりすることを防止し、落ち葉やごみ等が隙間からパレット下部に入り込むことを防止する多段式立体駐車装置を提供することができる。
【００１３】
また、本発明によれば、いったん多段式立体駐車装置を設置した後においても、低コストで、容易に固定部分とパレットとの間の隙間により生じる問題を解決することができる多段式立体駐車装置を提供することができる。
【図面の簡単な説明】
【００１４】
【図１】本発明の一実施形態に係る多段式立体駐車装置の構成を示す概略図であり、（ａ）が上面図、（ｂ）が正面図である。
【図２】本発明の一実施形態に係る多段式立体駐車装置の柱と転落防止板の構成の例を示す概略図である。
【図３】本発明の一実施形態に係る多段式立体駐車装置の一例を示す図であり、（ａ）が正面図、（ｂ）が（ａ）のＸ方向から見た側面図である。
【図４】従来の多段式立体駐車装置を説明するための概略図である。
【発明を実施するための形態】
【００１５】
以下、図面を参照しながら、本発明の多段式立体駐車装置の実施形態について説明する。なお、本発明は、以下の実施形態に限定されることはなく、種々の変形を行ない実施することが可能である。
【００１６】
図１は、本発明の一実施形態に係る多段式立体駐車装置の構成を示す概略図であり、（ａ）が上面図、（ｂ）が正面図である。
【００１７】
図１を参照すると、本発明の一実施形態に係る多段式立体駐車装置１００は、パレット１１０と、柱１２０と、歩行デッキ１３０と、転落防止板１４０とを備える。
【００１８】
多段式立体駐車装置１００は、図３に示すように、上下に複数の駐車階を有する。複数の駐車階に対応して、上段の駐車階と下段の駐車階との間を、複数の柱固定パレット１１０が昇降し、また後述の地上パレット１５０が昇降横行する。
【００１９】
柱固定パレット１１０は、複数の柱１２０により支持される。例えば、柱固定パレット１１０の両側面が、複数の柱１２０と固定されて支持される。固定箇所は、例えば、柱固定パレット１１０の四隅であるが、これと異なってもよい。柱１２０の上下動に併せて柱固定パレット１１０も昇降する。図１（ｂ）に示すように、柱固定パレット１１０はｂ方向において地上階と地下階との間を柱１２０とともに昇降する。
【００２０】
図１に戻って、利用者は自動車の入出庫時に歩行デッキ１３０の上面を通過して自動車へと乗り降りする。歩行デッキ１３０は利用者が上面を通過可能な程度の幅を必要とする。ここでは、固定部分の上面を歩行デッキ１３０と呼んでおり、歩行デッキ１３０を含め、固定部分は柱１２０や柱固定パレット１１０と異なり上下動、昇降動作をしない。
【００２１】
柱１２０の上面に支持されて、転落防止板１４０が配置される。転落防止板１４０は、歩行デッキ１３０の一部及びパレット１１０の一部とそれらの上面において重なり合っている。転落防止板１４０は板状の部材であり、例えば金属である。
【００２２】
図３を参照して、本発明の一実施形態に係る多段式立体駐車装置の一例を説明する。図３（ａ）が出入口側から見た正面図、図３（ｂ）が図３（ａ）のＸ方向から見た側面図である。図３は、地上３段、地下２段昇降横行式の駐車装置である。図３においては、車Ａが出庫可能な状態である。
【００２３】
車Ａが出庫可能な状態においては、車Ａの積載された地上パレット１５０は、その一部の下面を転落防止板１４０が覆って重なり合っている。地上パレット１５０は、柱１２０には固定支持されておらず、駆動装置１６０により、地上階において昇降動作及び横行動作を行う。駆動装置１６０は、例えばローラー駆動及びチェーン駆動を行う。なお駆動装置１６０は油圧駆動であってもよい。
【００２４】
図３の状態においては、転落防止板１４０が、歩行デッキ１３０とその一部の上面を覆って重なり合い、地上パレット１５０が転落防止板１４０とその一部の上面を覆って重なり合っている。
【００２５】
図３の状態においては、歩行デッキ１３０と地上パレット１５０との間の隙間を転落防止板１４０が覆うこととなり、その結果、歩行デッキ１３０を含む固定部分と地上パレット１５０との隙間から物が落下したり、利用者が足を踏み外したり、転落をしたりすることを防止することができ、落ち葉やごみ等が隙間から地上パレット１５０の下部に入り込むことを防止することができる。
【００２６】
また、多段式立体駐車装置の設置後において、転落防止板１４０を柱１２０に支持された状態で後から設置することができるから、多段式立体駐車装置の設計段階以後の段階において、固定部分と地上パレット１５０との間の隙間による問題を解決することができる。
【００２７】
さらに、転落防止板１４０は単純な構造であって、設置コストが低く、かつ設置手順が単純であるという利点を有する。
【００２８】
また、図２に示すように、転落防止板１４０は、その縁部を所望の角度に折り曲げた状態で設置してもよい。縁部を折り曲げた状態とすることにより、ごみや落ち葉、落し物等が地上パレット１５０の下部に入り込むことを防止する効果をより大きくすることができる。
【００２９】
以上のとおり、本発明の一実施形態に係る多段式立体駐車装置により、固定部分と地上パレット１５０との隙間から物が落下したり、利用者が足を踏み外したり、転落をしたりすることを防止し、落ち葉やごみ等が隙間から地上パレット１５０の下部に入り込むことを防止することができる。
【符号の説明】
【００３０】
１００  多段式立体駐車装置
１１０  柱固定パレット
１２０  柱
１３０  歩行デッキ
１４０  転落防止板
１５０  地上パレット
１６０  駆動装置
【図１】
2014240562.tif 000003
【図２】
2014240562.tif 000004
【図３】
2014240562.tif 000005
【図４】
2014240562.tif 000006